(57)【要約】【課題】本体のネジ孔に所要量ねじ込んだ螺軸を簡単且つ強力に固定出来る螺軸固定構造を提供すること。【解決手段】本体（コ字形帯状板５）のネジ孔７に螺嵌結合した螺軸２２ａの固定構造であって、ネジ孔７から遠ざかる方向に突出するように本体（コ字形帯状板５）に切り起こし形成された操作用大舌片８と、この操作用大舌片８内に、当該操作用大舌片８とは逆向きで且つ先端の巾より基部の巾が広くなる形状に切り起こし形成された係止用小舌片９とを備え、操作用大舌片の先端８ａに前記ネジ孔７の軸心方向に操作力を加えたとき、係止用小舌片９の巾広基部の両側で前記操作用大舌片８が屈曲して、操作用大舌片８の先端８ａから係止用小舌片９の先端９ａまでの部分が一体に傾動し、当該係止用小舌片９の先端９ａが螺軸２２ａのネジ溝に食い込む構成。【選択図】    図２
2004190459.tif 000002
【特許請求の範囲】
【請求項１】
本体のネジ孔に螺嵌結合される螺軸の固定構造であって、前記本体に切り起こし形成された操作用大舌片と、この操作用大舌片内に切り起こし形成された係止用小舌片とを備え、前記操作用大舌片は、先端が前記ネジ孔から遠ざかる方向に突出するように切り起こされ、前記係止用小舌片は、前記操作用大舌片とは逆向きで且つ先端の巾より基部の巾が広くなる形状に切り起こされ、前記操作用大舌片の先端に前記ネジ孔の軸心方向に操作力を加えたとき、前記係止用小舌片の巾広基部の両側で前記操作用大舌片が屈曲して、前記操作用大舌片の先端から係止用小舌片の先端までの部分が一体に傾動し、係止用小舌片の先端が前記螺軸のネジ溝に食い込むように構成された、螺軸固定構造。
【請求項２】
前記操作用大舌片は、中間位置から先端までの部分が前記ネジ孔の軸心から遠ざかるように屈曲するくの字形のものであり、前記係止用小舌片は、前記操作用大舌片の中間屈曲部より先端側に巾広基部が配置されると共に小巾先端が前記ネジ孔に向かって前記操作用大舌片の内側に突出するように形成されている、請求項１に記載の螺軸固定構造。
【請求項３】
前記本体は、前記ネジ孔側で折り返したコ字形帯状板を備え、前記ネジ孔は、前記コ字形帯状板の折り返し端部に形成された操作用大舌片の切り起こし跡の貫通孔と、当該コ字形帯状板の折り返し端部の内側に固定されたナットとで構成されている、請求項１又は２に記載の螺軸固定構造。
【請求項４】
前記ナットは、前記コ字形帯状板間に回転不能に挟持させると共に、当該コ字形帯状板からプレス加工で内側に突出するように形成された突部と当該コ字形帯状板の折り返し端部との間で溶接によらずに挟持固定されている、請求項３に記載の螺軸固定構造。
【請求項５】
本体の一端に土留め壁への連結部が設けられると共に他端にセパレーター連結部が設けられた連結具であって、前記本体は、セパレーター連結部側で折り返したコ字形帯状板を備え、セパレーター連結部は、前記本体のコ字形帯状板の折り返し端部に設けられたネジ孔と、当該コ字形帯状板に切り起こし形成された操作用大舌片と、この操作用大舌片内に切り起こし形成された係止用小舌片とから成り、前記操作用大舌片は、先端が前記ネジ孔から遠ざかる方向に突出するように切り起こされ、前記係止用小舌片は、前記操作用大舌片とは逆向きで且つ先端の巾より基部の巾が広くなる形状に切り起こされ、前記操作用大舌片の先端に前記ネジ孔の軸心方向に操作力を加えたとき、前記係止用小舌片の巾広基部の両側で前記操作用大舌片が屈曲して、前記操作用大舌片の先端から係止用小舌片の先端までの部分が一体に傾動するように構成された、土留め壁用コンクリート型枠連結具。
【請求項６】
前記操作用大舌片は、前記コ字形帯状板の折り返し端部の片側の角部から起立し且つ中間位置から先端までの部分が前記ネジ孔の軸心から遠ざかるように屈曲するくの字形のものであり、前記係止用小舌片は、前記操作用大舌片の中間屈曲部より先端側に巾広基部が配置されると共に小巾先端が前記ネジ孔に向かって前記操作用大舌片の内側に突出するように形成されている、請求項５に記載の土留め壁用コンクリート型枠連結具。
【請求項７】
前記ネジ孔は、前記コ字形帯状板の折り返し端部に形成された操作用大舌片の切り起こし跡の貫通孔と、当該コ字形帯状板の折り返し端部の内側に固定されたナットとで構成されている、請求項５又は６に記載の土留め壁用コンクリート型枠連結具。
【請求項８】
前記ナットは、前記コ字形帯状板間に回転不能に挟持させると共に、当該コ字形帯状板からプレス加工で内側に突出するように形成された突部と当該コ字形帯状板の折り返し端部との間で溶接によらずに挟持固定されている、請求項７に記載の土留め壁用コンクリート型枠連結具。
【請求項９】
前記本体の土留め壁への連結部は、前記コ字形帯状板の遊端部間に挟持固定されて当該コ字形帯状板から突出する螺軸部を備えている、請求項５〜８の何れかに記載の土留め壁用コンクリート型枠連結具。
【請求項１０】
前記螺軸部には、頭部が前記コ字形帯状板の遊端部間に溶接によらずに回転不能に挟持固定されたボルトが利用されている、請求項９に記載の土留め壁用コンクリート型枠連結具。
【請求項１１】
前記本体の土留め壁への連結部は、前記コ字形帯状板の遊端部を外向きに折曲して形成した一対の取付板部と、この取付板部に設けられた取付孔とから構成されている、請求項５〜８の何れかに記載の土留め壁用コンクリート型枠連結具。
【請求項１２】
前記本体の土留め壁への連結部は、前記コ字形帯状板の遊端側に連設され且つ矢板に設けられた貫通孔への差込み部と、この差込み部と平行な差込み姿勢と直交する抜け止め姿勢とに切換自在に当該差込み部の先端に軸支された係止片と、前記差込み部に設けられた楔係止部と、この楔係止部に差し込まれて、抜け止め姿勢の前記係止片との間で矢板を固定する楔板とから構成されている、請求項５〜８の何れかに記載の土留め壁用コンクリート型枠連結具。
【請求項１３】
前記本体の土留め壁への連結部は、前記コ字形帯状板の遊端側に連設された、矢板支持用Ｈ形鋼のフランジ部に引っ掛ける鉤状部と、この鉤状部との間で前記Ｈ形鋼フランジ部を挟持する弾性係止片とから構成されている、請求項５〜８の何れかに記載の土留め壁用コンクリート型枠連結具。
【発明の詳細な説明】
【０００１】
【発明の属する技術分野】
本発明は、種々の用途に活用出来る螺軸固定構造と、当該螺軸固定構造を採り入れた土留め壁用コンクリート型枠連結具とに関するものである。
【０００２】
【従来の技術】
例えば、立設させた矢板支持用Ｈ形鋼間に所要枚数の矢板を落とし込んで構成される土留め壁との間にコンクリート壁を構築する場合、当該土留め壁との間に所要間隔を隔ててコンクリート型枠を仮設しなければならない。このとき、コンクリート型枠に一端を結合したセパレーター（螺軸）の他端を土留め壁の適当箇所に結合するための螺軸固定構造が必要になるが、従来のこの種の螺軸固定構造は、特許文献１に記載されるように、一端部にセパレーター連結用ネジ孔を備えた筒状体の当該一端部外側に帯状板を固着連設して操作用大舌片を構成し、この操作用大舌片の中間位置に、先端が前記ネジ孔の方に向いた係止用小舌片を切り起こし形成すると共に、当該係止用小舌片の基部の左右両側で操作用大舌片の両側辺に切欠き部を形成し、操作用大舌片の先端に前記ネジ孔の軸心方向の操作力を与えたとき、当該操作用大舌片が前記切欠き部の位置で折曲して、操作用大舌片の先端から係止用小舌片の先端までの部分が一体に傾動し、係止用小舌片の先端が前記ネジ孔に螺合するセパレーターの螺軸部に食い込むように構成されていた。
【０００３】
【特許文献１】
特開平８−３０３００５号公報
【０００４】
【発明が解決しようとする課題】
上記のような従来の土留め壁用コンクリート型枠連結具に利用されていた螺軸固定構造では、連結具本体となる筒状体に操作用大舌片を構成する帯状板を溶接等で固着連設しなければならないばかりでなく、当該操作用大舌片には、係止用小舌片の切り起こし加工と左右一対の切欠き部の加工とが必要であるため加工コストが高くつき、操作用大舌片（帯状板）の取付強度が十分でないと、この操作用大舌片にハンマー等で操作力を加えたときに当該操作用大舌片が連結具本体から外れて使用不能になる恐れもあった。
【０００５】
【課題を解決するための手段】
本発明は上記のような従来の問題点を解消し得る土留め壁用コンクリート型枠連結具を提供するのに役立つと共に、他の各種用途に活用出来る螺軸固定構造を提供することを目的とするものであって、その手段を後述する実施形態の参照符号を付して示すと、ネジ孔７を備えた本体２と、当該ネジ孔７に螺嵌結合される螺軸（セパレーター２２の一端螺軸部２２ａ）とから成る螺軸固定構造であって、前記本体２に切り起こし形成された操作用大舌片８と、この操作用大舌片８内に切り起こし形成された係止用小舌片９とを備え、前記操作用大舌片８は、先端が前記ネジ孔７から遠ざかる方向に突出するように切り起こされ、前記係止用小舌片９は、前記操作用大舌片８とは逆向きで且つ先端の巾より基部の巾が広くなる形状に切り起こされ、前記操作用大舌片８の先端８ａに前記ネジ孔７の軸心７ａ方向に操作力を加えたとき、前記係止用小舌片９の巾広基部９ｂの両側で前記操作用大舌片８が屈曲して、前記操作用大舌片８の先端８ａから係止用小舌片９の先端９ａまでの部分が一体に傾動し、係止用小舌片９の先端９ａが前記螺軸（セパレーター２２の一端螺軸部２２ａ）のネジ溝に食い込む構成となっている。
【０００６】
上記構成の本発明を実施する場合、前記操作用大舌片８は、中間位置から先端までの部分が前記ネジ孔７の軸心７ａから遠ざかるように屈曲するくの字形のものとし、前記係止用小舌片９は、前記操作用大舌片８の中間屈曲部８ｂより先端８ａ側に巾広基部９ｂを配置すると共に小巾先端９ａが前記ネジ孔７に向かって前記操作用大舌片８の内側に突出するように形成することが出来る。
【０００７】
又、前記本体２は、前記ネジ孔７側で折り返したコ字形帯状板５を備えたものとし、前記ネジ孔７は、前記コ字形帯状板５の折り返し端部６に形成された操作用大舌片８の切り起こし跡の貫通孔１０と、当該コ字形帯状板５の折り返し端部６の内側に固定されたナット１１とで構成することが出来る。この場合、前記ナット１１は、前記コ字形帯状板５間に回転不能に挟持させると共に、当該コ字形帯状板５からプレス加工で内側に突出するように形成された突部１２ａ，１２ｂと当該コ字形帯状板５の折り返し端部６との間で溶接によらずに挟持固定するのが望ましい。
【０００８】
本発明は又、上記構成の螺軸固定構造を応用した土留め壁用コンクリート型枠連結具も提供する。即ち、本発明による土留め壁用コンクリート型枠連結具は、本体２の一端に土留め壁への連結部３が設けられると共に他端にセパレーター連結部４が設けられた連結具１であって、前記本体２は、セパレーター連結部４側で折り返したコ字形帯状板５を備え、セパレーター連結部４は、前記本体２のコ字形帯状板５の折り返し端部６に設けられたねじ孔７と、当該コ字形帯状板５に切り起こし形成された操作用大舌片８と、この操作用大舌片８内に切り起こし形成された係止用小舌片９とから成り、前記操作用大舌片８は、先端が前記ねじ孔７から遠ざかる方向に突出するように切り起こされ、前記係止用小舌片９は、前記操作用大舌片８とは逆向きで且つ先端の巾より基部の巾が広くなる形状に切り起こされ、前記操作用大舌片８の先端８ａに前記ねじ孔７の軸心７ａ方向に操作力を加えたとき、前記係止用小舌片９の巾広基部９ｂの両側で前記操作用大舌片８が屈曲して、前記操作用大舌片８の先端８ａから係止用小舌片９の先端９ａまでの部分が一体に傾動する構成となっている。
【０００９】
上記構成の本発明による土留め壁用コンクリート型枠連結具に於いても、先に説明したように、前記操作用大舌片８は、前記コ字形帯状板５の折り返し端部６の片側の角部から起立し且つ中間位置から先端までの部分が前記ねじ孔７の軸心７ａから遠ざかるように屈曲するくの字形のものとし、前記係止用小舌片９は、前記操作用大舌片８の中間屈曲部８ｂより先端８ａ側に巾広基部９ｂを配置すると共に小巾先端９ａが前記ねじ孔７に向かって前記操作用大舌片８の内側に突出するように形成することが出来る。
【００１０】
又、前記ねじ孔７は、前記コ字形帯状板５の折り返し端部６に形成された操作用大舌片８の切り起こし跡の貫通孔１０と、当該コ字形帯状板５の折り返し端部６の内側に固定されたナット１１とで構成することが出来る。この場合、前記ナット１１は、前記コ字形帯状板５間に回転不能に挟持させると共に、当該コ字形帯状板５からプレス加工で内側に突出するように形成された突部１２ａ，１２ｂと当該コ字形帯状板５の折り返し端部６との間で溶接によらずに挟持固定するのが望ましい。
【００１１】
前記本体２の土留め壁への連結部３は、前記コ字形帯状板５の遊端部間に挟持固定されて当該コ字形帯状板５から突出する螺軸部１４から構成することが出来る。この場合、土留め壁１７側には、例えば矢板支持用Ｈ形鋼１８や鋼製の矢板１９の適当箇所に、前記螺軸部１４を螺合させることが出来るネジ孔付き部材２１が溶接等で取り付けられる。この螺軸部１４から成る土留め壁への連結部３を採用する場合、当該螺軸部１４として、頭部１５ａが前記コ字形帯状板５の遊端部間に溶接によらずに回転不能に挟持固定されたボルト１５を利用するのが望ましい。
【００１２】
土留め壁１７の木製の矢板１９等に対して連結出来るようにする場合には、前記本体２の土留め壁への連結部２７は、前記コ字形帯状板５の遊端部を外向きに折曲して形成した一対の取付板部２８ａ，２８ｂと、この取付板部２８ａ，２８ｂに設けられた取付孔２９とから構成し、前記取付孔２９を利用して本体２を木製矢板１９に釘止めやネジ止め出来るように構成することが出来る。
【００１３】
又、貫通孔３３を加工出来る木製の矢板１９等の場合は、前記本体２の土留め壁への連結部３２は、前記コ字形帯状板５の遊端側に連設され且つ矢板１９に設けられた貫通孔３３への差込み部３４と、この差込み部３４と平行な差込み姿勢と直交する抜け止め姿勢とに切換自在に当該差込み部３４の先端に軸支された係止片３６と、前記差込み部３４に設けられた楔係止部３７と、この楔係止部３７に差し込まれて、抜け止め姿勢の前記係止片３６との間で矢板１９を固定する楔板３８とから構成することが出来る。
【００１４】
更に、溶接等を利用しないで、矢板支持用Ｈ形鋼１８に簡単に連結出来るようにする場合は、前記本体２の土留め壁への連結部４２は、前記コ字形帯状板５の遊端側に連設された、矢板支持用Ｈ形鋼１８のフランジ部１８ａに引っ掛ける鉤状部４３と、この鉤状部４３との間で前記Ｈ形鋼フランジ部１８ａを挟持する弾性係止片４４とから構成することが出来る。
【００１５】
【発明の実施の形態】
以下に本発明による螺軸固定構造を土留め壁用コンクリート型枠連結具に応用した場合の好適実施形態を添付図に基づいて説明すると、図１〜図３に於いて、１は第一実施形態の連結具であって、本体２と、この本体２の一端に設けられた土留め壁への連結部３と、本体２の他端に設けられたセパレーター連結部４とから成る。
【００１６】
前記本体２は、セパレーター連結部４側で折り返したコ字形帯状板５を備え、セパレーター連結部４は、前記コ字形帯状板５の折り返し端部６に設けられたネジ孔７と、当該コ字形帯状板５の折り返し端部５に切り起こし形成された操作用大舌片８と、この操作用大舌片８内に切り起こし形成された係止用小舌片９とから構成されている。
【００１７】
前記操作用大舌片８は、前記コ字形帯状板５の折り返し端部６の片側の角部から起立し且つ中間位置から先端８ａまでの部分が前記ネジ孔７の軸心７ａから遠ざかるように屈曲するくの字形のものであり、前記係止用小舌片９は、前記操作用大舌片８とは逆向きで且つ先端９ａの巾より基部９ｂの巾が広くなる台形状に切り起こされたものであり、前記操作用大舌片８の中間屈曲部８ｂより先端８ａ側に巾広基部９ｂが配置されると共に小巾先端９ａが前記ネジ孔７に向かって前記操作用大舌片８の内側に突出するように形成されている。
【００１８】
前記ネジ孔７は、前記コ字形帯状板５の折り返し端部６に形成された操作用大舌片８の切り起こし跡の貫通孔１０と、当該コ字形帯状板５の折り返し端部６の内側に固定されたナット１１とで構成されている。前記ナット１１は、溶接でコ字形帯状板５の折り返し端部６の内側に固着することも出来るが、この実施形態では、六角形等の角形のナット１１を使用し、このナット１１を前記コ字形帯状板５の両側板５ａ，５ｂ間に回転不能に挟持させると共に、当該両側板５ａ，５ｂからプレス加工で内側に突出するように形成された突部１２ａ，１２ｂと当該コ字形帯状板５の折り返し端部６との間で溶接によらずに挟持固定させている。１３ａ，１３ｂは、ナット１１を挟んで位置決めするためにコ字形帯状板５の折り返し端部６の両側辺にプレス加工で内側に突出するように形成された突部であって、ナット１１が両側板５ａ，５ｂ間で横方向に移動するのを阻止する。
【００１９】
前記本体２の土留め壁への連結部３は、各種のものが考えられるが、この実施形態では、前記コ字形帯状板５の遊端部間に挟持固定されて当該コ字形帯状板５から突出する螺軸部１４で構成している。当該螺軸部１４としては、頭部を持たない全長にわたって同一径の螺軸を使用することも出来るし、前記コ字形帯状板５の遊端部に対する当該螺軸部１４の固着手段も、溶接等、如何なる手段であっても良いが、この実施形態では、六角形等の角形の頭部１５ａが前記コ字形帯状板５の遊端部間に溶接によらずに回転不能に挟持固定されたボルト１５を利用している。この場合、コ字形帯状板５の遊端部に於ける両側板５ａ，５ｂは、ボルト１５の頭部１５ａと軸部、即ち、螺軸部１４とを両側から抱持するように絞られるが、螺軸部１４の両側に張り出す翼部５ｃ，５ｄに於いて両側板５ａ，５ｂどうしをリベット等の止着具１６で固着している。
【００２０】
図４に示すように、従来周知の通り土留め壁１７は、適当間隔おきに立設された矢板支持用Ｈ形鋼１８間に所要枚数の矢板１９を落とし込んで、上下に隣接する矢板１９によって土留めのための壁を構成したものであり、上記構成の連結具１を使用するために、矢板支持用Ｈ形鋼１８のコンクリート壁築造側（山側とは反対側）のフランジ部１８ａの外側面適当箇所に、連結具１の螺軸部１４を螺合し得るネジ孔を備えた部材、具体的には、ナット２０を内側に固着した部材２１が溶接により固着される。そして連結具１の前記螺軸部１４を部材２１のナット２０（ネジ孔）に螺合締結し、所要長さに調整されたセパレーター２２の一端螺軸部２２ａを、図２Ａ，Ｂに示す連結具１のセパレーター連結部４に於けるネジ孔７（ナット１１のネジ孔）に螺合する。
【００２１】
連結具１のネジ孔７（ナット１１のネジ孔）にセパレーター２２の一端螺軸部２２ａを螺合するとき、ネジ孔７の外側で横側方に位置する係止用小舌片９は当該セパレーター２２の一端螺軸部２２ａとは接触しないように構成されるが、両者が接触する状況であっても、当該係止用小舌片９がセパレーター２２の螺進方向に傾斜しているので、セパレーター２２で当該係止用小舌片９を外側に押圧変形させた状態でセパレーター２２を問題なく螺進させることが出来る。
【００２２】
上記のように連結具１のネジ孔７に所要深さまで螺合させたならば、図２Ｃに示すように、操作用大舌片８の先端８ａをセパレーター２２の螺進方向（ネジ孔７の軸心方向）にハンマーその他の適当な工具又は資材で打ち叩いて操作力Ｆを加える。この結果、操作用大舌片８が操作力Ｆの方向に曲げられることになるが、その曲げの支点は、当該操作用大舌片８の先端８ａまでの全域の内、最も曲げ強度の低い場所、即ち、図３に示す係止用小舌片９の巾広基部９ｂの左右両側の最も巾の狭い箇所８ｃ，８ｄになる。従って、この箇所８ｃ，８ｄを支点にして操作用大舌片８の先端８ａと係止用小舌片９の先端９ａとの間の部分が一体に傾動し、図２Ｃに示すように、係止用小舌片９の先端９ａがセパレーター２２側に接近移動して当該セパレーター２２の一端螺軸部２２ａのネジ溝に食い込み、当該セパレーター２２を連結具１にロックすることになる。
【００２３】
セパレーター２２の他端に対するコンクリート型枠２３の結合は、従来周知の通り、例えばセパレーター２２の他端部に結合された型枠受け用コーン２４や、型枠２３の外側でセパレーター２２（前記コーン２４から突出する螺軸部）に連結される型枠締結金具２５等を使用して行われる。
【００２４】
図４は、第２実施形態の連結具２６を示している。この連結具２６は、本体２の一端のセパレーター連結部４は、先の第１実施形態の連結具１と同一であり、本体２の他端の土留め壁への連結部３が異なっている。即ち、この連結具２６に於ける土留め壁への連結部２７は、本体２を構成するコ字形帯状板５の両側板５ａ，５ｂの遊端部を外向きに折曲して形成した一対の取付板部２８ａ，２８ｂと、この取付板部２８ａ，２８ｂそれぞれに設けられた複数の取付孔２９とから構成されている。３０は、コ字形帯状板５の両側板５ａ，５ｂと取付板部２８ａ，２８ｂとの間の入り隅部にプレス加工で一体成型した補強用リブである。
【００２５】
この連結具２６は、図４に示す土留め壁１７の矢板１９が主として木製である場合に使用されるもので、矢板１９の適当箇所に連結具２６を、その一対の取付板部２８ａ，２８ｂの取付孔２９を利用して釘やネジ等の適当な止着具で固定して使用することが出来る。この連結具２６にセパレーター２２を介してコンクリート型枠２３を取り付ける方法は、先の実施形態に示した連結具１と同様である。
【００２６】
図６に示す第３実施形態の連結具３１は、本体２の一端のセパレーター連結部４は、先の第１実施形態の連結具１と同一であり、本体２の他端の土留め壁への連結部３が異なっている。即ち、この連結具３１に於ける土留め壁への連結部３２は、前記コ字形帯状板５の遊端側に連設され且つ矢板１９に設けられた貫通孔３３への差込み部３４と、この差込み部３４と平行な差込み姿勢と直交する抜け止め姿勢とに切換自在に当該差込み部３４の先端に支軸３５で軸支された係止片３６と、前記差込み部３４に設けられた楔係止部３７と、この楔係止部３７に差し込まれて、抜け止め姿勢の前記係止片３６との間で矢板１９を固定する楔板３８とから構成されている。
【００２７】
前記差込み部３４は、一端部をコ字形帯状板５の両側板５ａ，５ｂ間に挟んでリベット等の止着具３９で固着された帯状板４０で構成され、前記係止片３６は、前記帯状板４０と同一巾か又は若干巾の狭い帯状板をＵ字形に折曲したもので、これを前記帯状板４０の遊端部に外嵌させた状態で支軸３５で軸支し、当該係止片３６の折り返し端部３６ａを前記帯状板４０の遊端外側に位置させた状態が前記差込み姿勢となるように構成されている。又、前記楔係止部３７は、前記帯状板４０にその長さ方向に平行に形成した長孔３７ａで構成している。この長孔３７ａの外端（係止片３６から遠い側の端）は、コ字形帯状板５の両側板５ａ，５ｂの遊端と面一になるように配置されている。
【００２８】
前記差込み部３４は、コ字形帯状板５の両側板５ａ，５ｂを延長して構成することも出来る。この場合、係止片３６は、コ字形帯状板５の両側板５ａ，５ｂ間に遊嵌して軸支される１枚の厚板から構成することが出来るし、楔係止部３７は、コ字形帯状板５の両側板５ａ，５ｂ間で形成される楔板差込み隙間と、当該両側板５ａ，５ｂ間に差し込まれる楔板３８の係止片３６から遠い側の斜辺を受ける止めるように両側板５ａ，５ｂ間に形成された受け部分とで構成することが出来る。
【００２９】
上記構成の連結具３１を使用する場合は、矢板１９の適当箇所に前記差込み部３４を貫通させることが出来る程度の直径の貫通孔３３が予め穿設される。而して、当該貫通孔３３に連結具３１の差込み部３４を、係止片３６を当該差込み部３４と平行な差込み姿勢にした状態で貫通させ、矢板１９の外側で係止片３６を差込み部３４に対し直交する抜け止め姿勢に切り換える。このとき、係止片３６の重心と支軸３５との位置関係により、矢板１９の貫通孔３３から外側に突出した係止片３６が自然に重力で支軸３５の周りに９０度回転して、抜け止め姿勢に切り換わるように構成するか又は、係止片３６を抜け止め姿勢で保持されるようにスプリングで付勢しておくのが望ましい。
【００３０】
矢板１９の貫通孔３３に連結具３１の差込み部３４を差込み、係止片３６を抜け止め姿勢に切り換えたならば、楔板３８を楔係止部３７（長孔３７ａ）に圧入して、当該楔板３８と抜け止め姿勢の係止片３６とで本体２の一端（差込み部３４）を矢板１９に直角向きに固定し、この後、図４に示す第１実施形態の連結具１と同様に、連結具３１のセパレーター連結部４にセパレーター２２を介してコンクリート型枠２３を連結すれば良い。
【００３１】
図７に示す第３実施形態の連結具４１は、本体２の一端のセパレーター連結部４は、先の第１実施形態の連結具１と同一であり、本体２の他端の土留め壁への連結部３が異なっている。即ち、この連結具４１に於ける土留め壁への連結部４２は、前記コ字形帯状板５の遊端側に連設された、矢板支持用Ｈ形鋼１８（図４参照）のフランジ部１８ａに引っ掛ける鉤状部４３と、この鉤状部４３との間で前記Ｈ形鋼フランジ部１８ａを挟持する弾性係止片４４とから構成されている。
【００３２】
具体的に説明すると、前記コ字形帯状板５の遊端部には、両側板５ａ，５ｂをそれぞれ半円形断面に成形すると共に両者を互いに合わせて円筒状部４５が形成され、鉤状部４３は、１枚の金属板をプレス成形したもので、連結具本体２に対して直角横向きに延出する先端部４３ａを備え、基部には、前記コ字形帯状板５の遊端円筒状部４５を挟み込む断面Ｕ字形部分４３ｂが形成され、この断面Ｕ字形部分４３ｂの底部に形成した外側への突曲部４３ｃの内側に弾性係止片４４の基部に形成した凸部４４ａが嵌合し、当該弾性係止片４４の基部をコ字形帯状板５の遊端円筒状部４５との間で挟んだ状態で、当該コ字形帯状板５の遊端円筒状部４５と鉤状部４３の断面Ｕ字形部分４３ｂとがリベット等の止着具４６で固着されている。又、鉤状部４３は、前記断面Ｕ字形部分４３ｂから先端部４３ａの端まで連続し且つ外側へ突曲するリブ４３ｄが形成されている。弾性係止片４４は、前記鉤状部４３の先端部４３ａの端の内側の位置から当該鉤状部４３の先端部４３ａに向かって斜め内向きに突出する係止部４４ｂを備えている。
【００３３】
上記の連結具４１は、矢板支持用Ｈ形鋼１８（図４参照）のフランジ部１８ａに対して鉤状部４３を、このフランジ部１８ａが鉤状部４３の先端部４３ａと弾性係止片４４の係止部４４ｂとの間に当該弾性係止片４４の弾性に抗して入り込むように係合させて、フランジ部１８ａに対し略直角向きに保持させる。この後、図４に示す第１実施形態の連結具１と同様に、連結具４１のセパレーター連結部４にセパレーター２２を介してコンクリート型枠２３を連結すれば良い。
【００３４】
尚、上記の連結具４１に於ける鉤状部４３は、前記コ字形帯状板５の遊端部を成形して、当該コ字形帯状板５と一体に構成することも出来る。又、本発明の連結具本体２に設けられる土留め壁への連結部は、以上に示した各実施形態の連結部３，２７，３２，４２に限定されるものではなく、特許文献１に示されるような従来周知の連結部の構成も採用出来る。
【００３５】
以上の実施形態は、本発明の螺軸固定構造を土留め壁用コンクリート型枠連結具に応用したものであるが、本発明は土留め壁用コンクリート型枠連結具に限定されるものではなく、各種の螺軸固定構造、即ち、本体のネジ孔に螺嵌結合される螺軸の固定手段として応用出来るものである。例えば、ターンバックル式のブレースは、ネジ孔付き連結具本体とこの本体にネジ結合される２本の連結杆とから構成されるが、このターンバックル式のブレースのネジ孔付き連結具本体に本発明を適用出来る。又、２部材をネジで連結する連結具だけでなく、例えばネジ式クランプのクランプ用螺軸の固定手段としても活用出来る。
【００３６】
【発明の効果】
以上のように実施し且つ使用することが出来る本発明の螺軸固定構造によれば、本体のネジ孔に螺軸を所要量だけ螺嵌した状態で操作用大舌片の先端に前記ネジ孔の軸心方向に操作力を加え、以て、当該操作用大舌片に切り起こし成形されている係止用小舌片を、その先端が前記螺軸のネジ溝に食い込むように変形させ、この係止用小舌片先端の螺軸ネジ溝への食い込みにより当該螺軸を前記本体にに固定することが出来るのであるが、特に本発明の構成によれば、前記本体に、前記係止用小舌片を備えた操作用大舌片が一体に切り起こし形成されており、従来のように操作用大舌片を構成する別部材を溶接等で固着するものと比較して、操作用大舌片にハンマー等で操作力を与えたときに当該操作用大舌片が不測に外れてしまうというような不都合が生じる恐れがなくなり、しかも、係止用小舌片を、先端の巾より基部の巾が広くなる形状に切り起こすものであるから、従来のように操作用大舌片の両側辺に別に切込みを設けなくとも、当該係止用小舌片の巾広基部の両側に配置されている操作用大舌片の曲げ強度の弱い部分の存在により、必ずこの係止用小舌片の巾広基部の位置で操作用大舌片を曲げ変形させ、確実に係止用小舌片を所期通りに変形させて、螺軸の固定作用を正確に発揮させることが出来る。
【００３７】
尚、請求項２に記載の構成によれば、操作用大舌片がくの字形に屈曲しており、係止用小舌片の巾広基部の位置、換言すれば操作用大舌片の曲げ支点となる位置をネジ孔の軸心（螺軸の軸心）に接近させることが出来るので、係止用小舌片の長さを短くし、操作用大舌片の僅かな曲げ変形で係止用小舌片の先端を確実に螺軸のネジ溝に食い込ませ、強力な螺軸固定効果を得ることが出来る。
【００３８】
又、請求項３に記載の構成によれば、ナットを利用して本体端部に螺軸結合用ネジ孔を構成する場合、操作用大舌片の切り起こし跡の貫通孔を利用するのであるから、ネジ孔のための貫通孔を操作用大舌片の切り起こしとは別に設ける場合と比較して、金型が簡単になり、加工コストを下げることが出来る。この場合、請求項４に記載の構成によれば、前記ナットが溶接によらずに所定位置に固定されるので、製造コストの一層の低減を図ることが出来る。
【００３９】
更に、請求項５に記載の構成によれば、本発明の螺軸固定構造を活用して、安価に製造することが出来るものでありながら安全に利用出来る土留め壁用コンクリート型枠連結具を提供出来る。この場合、請求項６〜８に記載の構成を採用することにより、請求項２〜４に記載の構成を採用したときに得られる作用効果を土留め壁用コンクリート型枠連結具に於いて得ることが出来る。
【００４０】
又、請求項９に記載の構成によれば、螺軸部を利用して土留め壁への連結を図ることの出来る連結具を簡単に構成することが出来る。この場合、請求項１０に記載の構成によれば、溶接によらずに前記螺軸部を備えた連結具を構成することが出来、製造コストの一層の低減を図ることが出来る。
【００４１】
又、請求項１１に記載の構成によれば、主として木製の矢板を使用して構成された土留め壁に対し釘やネジで簡単に取り付けることが出来る連結具を極めてシンプル且つ安価に構成することが出来る。
【００４２】
又、請求項１２に記載の構成によれば、貫通孔を開けることが出来る主として木製の矢板を使用して構成された土留め壁に対し簡単にしかも楔効果で強力に取り付けることが出来る連結具を得ることが出来る。
【００４３】
更に、請求項１３に記載の構成によれば、土留め壁を構成する矢板支持用Ｈ形鋼のフランジ部に引っ掛けるだけで簡単に取り付けることが出来る連結具を得ることが出来る。
【図面の簡単な説明】
【図１】Ａ図は第１実施形態の連結具を示す側面図であり、Ｂ図は同平面図である。
【図２】第１実施形態の連結具の要部を示す図であって、Ａ図は操作用大舌片を示す位置での縦断側面図であり、Ｂ図は係止用小舌片を示す位置での縦断側面図であり、Ｃ図は使用状態を示す縦断側面図である。
【図３】第１実施形態の連結具のセパレーター連結部側の端面図である。
【図４】第１実施形態の連結具の使用状態を示す一部縦断側面図である。
【図５】第２実施形態の連結具を示す図であって、Ａ図は側面図であり、Ｂ図は平面図であり、Ｃ図は右側面図である。
【図６】第３実施形態の連結具を示す図であって、Ａ図は使用状態を仮想線で示す側面図であり、Ｂ図は使用状態を仮想線で示す平面図である。
【図７】第４実施形態の連結具を示す図であって、Ａ図は使用状態を仮想線で示す側面図であり、Ｂ図は使用状態を仮想線で示す一部横断平面図である。
【符号の説明】
１，２６，３１，４１    連結具
２    本体
３，２７，３２，４２    土留め壁への連結部
４    セパレーター連結部
５    本体のコ字形帯状板
６    コ字形帯状板の折り返し端部
７    ネジ孔
８    操作用大舌片
８ａ    操作用大舌片の先端
８ｂ    操作用大舌片の中間屈曲部
９    係止用小舌片
９ａ    係止用小舌片の小巾先端
９ｂ    係止用小舌片の巾広基部
１０    貫通孔
１１    ナット
１２ａ〜１３ｂ    突部
１４    螺軸部
１５    ボルト
１６    止着具
１７    土留め壁
１８    矢板支持用Ｈ形鋼
１８ａ    矢板支持用Ｈ形のフランジ部
１９    矢板
２１    ネジ孔付き部材
２２    セパレーター
２２ａ    セパレーターの一端螺軸部
２３    コンクリート型枠
２８ａ，２８ｂ    取付板部
２９    取付孔
３３    矢板の貫通孔
３４    差込み部
３６    係止片
３７    楔係止部
３８    楔板
４３    鉤状部
４４    弾性係止片
【図１】
2004190459.tif 000003
【図２】
2004190459.tif 000004
【図３】
2004190459.tif 000005
【図４】
2004190459.tif 000006
【図５】
2004190459.tif 000007
【図６】
2004190459.tif 000008
【図７】
2004190459.tif 000009